(57)【特許請求の範囲】
【請求項１】
情報の表示を行う表示手段と、
前記表示手段に表示された情報に対する選択操作を受け付ける入力手段と、
土木工事の工種種別、留意判断項目、および施工計画項目と、これら工種種別、留意判断項目、および施工計画項目の間の対応関係と、土木工事に際して検討すべき課題の種類を示す課題項目と、を予め格納する格納手段と、
工種種別を前記表示手段に表示し、前記入力手段を介して選択された工事種別を登録する工種種別登録手段と、
登録された工種種別に対応する留意判断項目を前記表示手段に表示し、前記入力手段を介して選択された留意判断項目を登録する留意判断項目登録手段と、
登録された工種種別および留意判断項目に対応する施工計画項目を前記表示手段に表示し、前記入力手段を介して選択された施行計画項目を登録する施工計画登録手段と、
課題項目を前記表示手段に表示し、前記入力手段を介して選択された課題項目を登録する課題項目登録手段と、
登録された課題項目に対応付けて、登録された施工計画項目の施工計画に関する文章および登録された課題項目の設定理由に関する文章の入力操作を受け付け、入力された文章を登録する文章登録手段と、
登録された課題項目と、この課題項目に対応付けて登録された施工計画に関する文章および設定理由に関する文章に基づいて、施工計画書を作成する施工計画書作成手段と、
作成された施工計画書を、登録された留意判断項目、施工計画項目、および課題項目の少なくとも１つに対応付けて記憶する記憶手段と、
を有する土木工事施工計画書作成支援システム。
【請求項２】
前記記憶手段に記憶された施工計画書のうち、作成中の施工計画書と、留意判断項目、施工計画項目、および課題項目の１つまたは複数を同一とする施工計画書の登録内容を表示する履歴情報表示手段、を更に有する、
請求項１記載の土木工事施工計画書作成支援システム。
【請求項３】
前記格納手段は、
法令情報および基準書情報と、工種種別、留意判断項目、および施工計画項目と法令情報および基準書情報との間の対応関係と、を予め格納し、
登録された工種種別、留意判断項目、および施工計画項目に対応する法令情報および／または基準書情報を表示する法令・基準書表示手段、を更に有する、
請求項１記載の土木工事施工計画書作成支援システム。
【請求項４】
前記文章登録手段は、
質問情報を表示し、その質問情報に対応して入力された文字列を、テンプレートに当て嵌めて文章を構成する文章作成補助手段、を更に有する、
請求項１記載の土木工事施工計画書作成支援システム。
【請求項５】
前記文章登録手段は、
入力中の文章を表示しながら前記文章の入力を受け付け、
前記履歴情報表示手段は、
前記過去の施工計画書の登録内容を、前記文章登録手段により表示される入力中の文章と一画面に同時表示する、
請求項２記載の土木工事施工計画書作成支援システム。
【請求項６】
質問情報を表示しつつ回答を促す画面を提示するとともに、回答として入力された文字列を文章化して表示して文章の作成を補助する第１の文章作成補助手段と、
前記第１の文章作成補助手段により文章化された文章を編集可能に表示するとともに、前記文章に関連する文章であって前記記憶手段に記憶された過去の施工計画書の一部を一画面に同時表示して、文章の作成を補助する第２の文章作成補助手段と、
を有する文章作成補助手段と、を更に有する、
請求項１記載の土木工事施工計画書作成支援システム。
【請求項７】
前記格納手段は、
土木工事の工事条件と、項目留意判断項目、施工計画項目および課題項目と工事条件との間の対応関係と、を更に規定し、
工事条件を前記表示手段に表示し、表示した工事条件に対する選択を受け付ける工事条件選択手段と、
前記工事条件選択手段を介して選択された工事条件に対応する、項目留意判断項目、施工計画項目および課題項目の１つまたは複数を前記表示手段に表示し、登録候補への追加を受け付ける項目追加手段、を更に有する、
請求項１記載の土木工事施工計画書作成支援システム。
【請求項８】
情報の表示を行う表示手段と、前記表示手段に表示された情報に対する選択操作を受け付ける入力手段と、を備えた情報処理装置における土木工事施工計画書作成支援方法であって、
土木工事の工種種別、留意判断項目、および施工計画項目と、これら工種種別、留意判断項目、および施工計画項目の間の対応関係と、土木工事に際して検討すべき課題の種類を示す課題項目と、を予め格納する項目格納工程と、
工種種別を前記表示手段に表示し、前記入力手段を介して選択された工事種別を登録する工種種別登録工程と、
登録された工種種別に対応する留意判断項目を前記表示手段に表示し、前記入力手段を介して選択された留意判断項目を登録する留意判断項目登録工程と、
登録された工種種別および留意判断項目に対応する施工計画項目を前記表示手段に表示し、前記入力手段を介して選択された施行計画項目を登録する施工計画登録工程と、
課題項目を前記表示手段に表示し、前記入力手段を介して選択された課題項目を登録する課題項目登録工程と、
登録された課題項目に対応付けて、登録された施工計画項目の施工計画に関する文章および登録された課題項目の設定理由に関する文章の入力操作を受け付け、入力された文章を登録する文章登録工程と、
登録された課題項目と、この課題項目に対応付けて登録された施工計画に関する文章および設定理由に関する文章に基づいて、施工計画書を作成する施工計画書作成工程と、
作成された施工計画書を、登録された留意判断項目、施工計画項目、および課題項目の少なくとも１つに対応付けて記憶する記憶工程と、
を有する土木工事施工計画書作成支援方法。
【請求項９】
情報の表示を行う表示手段と、前記表示手段に表示された情報に対する選択操作を受け付ける入力手段と、を備えた情報処理装置のコンピュータに、
土木工事の工種種別、留意判断項目、および施工計画項目と、これら工種種別、留意判断項目、および施工計画項目の間の対応関係と、土木工事に際して検討すべき課題の種類を示す課題項目と、を予め格納する項目格納処理と、
工種種別を前記表示手段に表示し、前記入力手段を介して選択された工事種別を登録する工種種別登録処理と、
登録された工種種別に対応する留意判断項目を前記表示手段に表示し、前記入力手段を介して選択された留意判断項目を登録する留意判断項目登録処理と、
登録された工種種別および留意判断項目に対応する施工計画項目を前記表示手段に表示し、前記入力手段を介して選択された施行計画項目を登録する施工計画登録処理と、
課題項目を前記表示手段に表示し、前記入力手段を介して選択された課題項目を登録する課題項目登録処理と、
登録された課題項目に対応付けて、登録された施工計画項目の施工計画に関する文章およびこの課題項目の設定理由に関する文章の入力を受け付け、入力された文章を登録する文章登録処理と、
登録された課題項目と、この課題項目に対応付けて登録された施工計画に関する文章および設定理由に関する文章に基づいて、施工計画書を作成する施工計画書作成処理と、
作成された施工計画書を、登録された留意判断項目、施工計画項目、および課題項目の少なくとも１つに対応付けて記憶する記憶処理と、
を実行させる土木工事施工計画書作成支援プログラム。
【発明の詳細な説明】
【技術分野】
【０００１】
本発明は土木工事の施工計画書の作成を支援する土木工事施工計画書作成支援システム、土木工事施工計画書作成支援方法、および土木工事施工計画書作成支援プログラムに係り、特に、総合評価方式における技術提案書としての施工計画書の作成に適した土木工事施工計画書作成支援システム、土木工事施工計画書作成支援方法、および土木工事施工計画書作成支援プログラムに関する。
【背景技術】
【０００２】
近年、公共工事や民間工事における施工業者の競争入札の際に、各入札業者が作成する施工計画書の内容を考慮して落札業者を決定することが広く行われている。施工計画書とは、施工業者が計画する具体的な施工計画等を記載した技術提案書であり、その施工業者の工事の品質を判断する際の指標となるものである。
【０００３】
特に、公共工事では、工事の品質確保の観点から法整備が進められており、多くの地方公共団体が、施工計画書の内容を考慮して入札業者を総合的に評価する総合評価方式を導入している。評価の良し悪しは、落札業者の決定に大きく影響する。したがって、質の高い施工計画書を作成することは、各種施工業者にとって非常に重要な作業となっている。通常、施工計画書には、少なくとも、工種および種別（以下「工種種別」という）に対応して設定した、工事の課題、課題の設定理由、および課題を解決するための具体的な施工計画を記載することが求められている。また、施工計画は、工種種別に対応した留意判断事項について判断および調査を行い、その判断結果および調査結果に基づいて作成される必要がある。
【０００４】
ところで、各種工事の中で、土木工事は、工種種別の数が多く、また、工事ごとに適用される工種種別が大きく異なるという特徴がある。したがって、特に土木工事については、必要な施工計画書を作成するのに、膨大な手間と時間が掛かっていた。このような施工計画書の作成の労力を軽減するための技術の蓄積はなく、記載すべき先行技術文献情報はない。
【発明の開示】
【発明が解決しようとする課題】
【０００５】
しかしながら、通常、施工計画書の提出自体は対価を得られるものではなく、また、施工計画書の提出により工事の受注が保証されるものではない。したがって、施工計画書の作成は、できるだけ少ない労力で行い、施工計画書の作成コストを抑えることが望ましい。一方で、作成にかける労力を低減した結果として低品質の施工計画書を提出すると、落札の可能性は低くなる。したがって、少ない労力で高品質な施工計画書を作成することが求められる。
【０００６】
本発明は、かかる点に鑑みてなされたものであり、少ない労力で高品質な施工計画書を作成することができる土木工事施工計画書作成支援システム、土木工事施工計画書作成支援方法、および土木工事施工計画書作成支援プログラムを提供することを目的とする。
【課題を解決するための手段】
【０００７】
本発明の一態様に係る土木工事施工計画書作成支援システムは、土木工事の工種種別を表示して登録する工種種別登録手段と、登録された工種種別に対応する留意判断項目を表示して登録する留意判断項目登録手段と、登録された工種種別および留意判断項目に対応する施工計画項目を表示して登録する施工計画登録手段と、課題項目を表示して登録する課題項目登録手段と、登録された課題項目に対応付けて、課題項目の設定理由および登録された施工計画項目の施工計画に関する文章入力を受け付けて登録する文章登録手段と、登録された課題項目と、この課題項目に対応付けられた設定理由および施工計画に基づいて、施工計画書を作成する施工計画書作成手段と、作成された施工計画書を、留意判断項目、施工計画項目、および課題項目の少なくとも１つに対応付けて記憶する記憶手段とを具備する構成を採る。
【０００８】
本発明の一態様に係る土木工事施工計画書作成支援方法は、土木工事の工種種別を表示して登録する工種種別登録工程と、登録された工種種別に対応する留意判断項目を表示して登録する留意判断項目登録工程と、登録された工種種別および留意判断項目に対応する施工計画項目を表示して登録する施工計画登録工程と、課題項目を表示して登録する課題項目登録工程と、登録された課題項目に対応付けて、課題項目の設定理由および登録された施工計画項目の施工計画に関する文章入力を受け付けて登録する文章登録工程と、登録された課題項目と、この課題項目に対応付けられた設定理由および施工計画に基づいて、施工計画書を作成する施工計画書作成工程と、作成された施工計画書を、留意判断項目、施工計画項目、および課題項目の少なくとも１つに対応付けて記憶する記憶工程とを有するようにした。
【０００９】
本発明の一態様に係る土木工事施工計画書作成支援プログラムは、コンピュータに、土木工事の工種種別を表示して登録する工種種別登録処理と、登録された工種種別に対応する留意判断項目を表示して登録する留意判断項目登録処理と、登録された工種種別および留意判断項目に対応する施工計画項目を表示して登録する施工計画登録処理と、課題項目を表示して登録する課題項目登録処理と、登録された課題項目に対応付けて、課題項目の設定理由および登録された施工計画項目の施工計画に関する文章入力を受け付けて登録する文章登録処理と、登録された課題項目と、この課題項目に対応付けられた設定理由および施工計画に基づいて、施工計画書を作成する施工計画書作成処理と、作成された施工計画書を、留意判断項目、施工計画項目、および課題項目の少なくとも１つに対応付けて記憶する記憶処理とを実行させるようにした。
【発明の効果】
【００１０】
本発明によれば、ユーザは、登録した項目に対応して表示される項目の中から選択して登録する作業を繰り返すことにより施工計画書を作成することができるので、少ない労力で施工計画書を作成することができる。また、土木工事の工種および種別を基点として対応する項目を選択肢として順次表示し、登録内容に基づいて施工計画書を作成するので、内容に過不足の無い高品質な施工計画書を作成することができる。また、過去に作成された施工計画書を、留意判断項目、施工計画項目、および課題項目のうち対応付けが行われた項目で検索することができるので、ユーザは、参考にすべき過去の施工計画書の内容を容易に参照することができ、更に少ない労力でかつ更に高品質な施工計画書を作成することができる。
【発明を実施するための最良の形態】
【００１１】
以下、本発明の一実施の形態について、図面を参照して詳細に説明する。
【００１２】
図１は、本発明の一実施の形態に係る土木工事施工計画書作成支援システムの構成を示すシステム構成図である。
【００１３】
本実施の形態に係る土木工事施工計画書作成支援システムは、例えばパーソナルコンピュータにおいてＣＰＵ（central processing unit）のプログラム実行によりソフトウェア的に実現されるものである。図１に示す土木工事施工計画書作成支援システム１００は、キーボードおよびポインティングデバイス等の入力装置（図示せず）を有しており、ユーザによる各種の選択操作および文字入力操作を受け付ける。また、土木工事施工計画書作成支援システム１００は、液晶ディスプレイ等の表示装置（図示せず）を有しており、ユーザによる選択操作および文字入力操作を受け付けるための各種画面を表示する。
【００１４】
図１において、土木工事施工計画書作成支援システム１００は、情報登録用データ格納部１１０、項目選択部１３０、文章作成部１４０、書式データ格納部１５０、添付資料入力部１６０、計画書作成部１７０、情報出力部１８０、履歴情報格納部１９０を有する。
【００１５】
情報登録用データ格納部１１０は、土木工事施工計画書（以下単に「施工計画書」という）の作成に用いられる各種項目および各種情報を予め格納している。情報登録用データ格納部１１０は、項目リンク情報格納部１１１、工種種別格納部１１２、カテゴリ格納部１１３、留意判断項目格納部１１４、施工計画項目格納部１１５、法令・基準情報格納部１１６、留意事項ヒント格納部１１７、課題項目格納部１１８、および質問情報格納部１１９を有する。
【００１６】
項目リンク情報格納部１１１は、各種項目と各種情報とのリンク関係を規定する項目リンク情報を格納する。項目リンク情報は、ある項目が登録されたときに、その登録された項目に関連するもののみに絞って他の項目や情報をユーザに提示するための情報である。
【００１７】
工種種別格納部１１２は、土木工事における工種および種別を格納する。
【００１８】
カテゴリ格納部１１３は、工事条件を分類したカテゴリを格納する。
【００１９】
留意判断項目格納部１１４は、土木工事に際して留意、判断および調査等をすべき事項（以下、適宜「留意事項」という）の種類を示す留意判断項目を格納する。
【００２０】
施工計画項目格納部１１５は、土木工事における施工計画の種類を示す施工計画項目を格納する。
【００２１】
法令・基準情報格納部１１６は、土木工事に関連する各種の法令情報や基準書情報の種類を示す情報項目および各情報項目に対応する情報を格納する。
【００２２】
留意事項ヒント格納部１１７は、留意事項の文章を作成する際のヒントとなる留意事項ヒントを格納する。
【００２３】
課題項目格納部１１８は、土木工事に際して検討すべき課題の種類を示す課題項目を格納部する。
【００２４】
質問情報格納部１１９は、ユーザによる文章作成を促すための質問内容である質問情報を格納する。
【００２５】
項目選択部１３０は、項目リンク情報に従って、情報登録用データ格納部１１０に格納された項目を選択肢として画面に表示し、ユーザにより選択された項目を施工計画書の記載項目として登録する。項目選択部１３０は、工事情報設定部１３１、留意事項確認部１３２、施工内容確認部１３３、法令・基準書確認部１３４、および課題項目設定部１３５を有する。
【００２６】
工事情報設定部１３１は、土木工事ごとに、工事場所、発注者、工事コード、工種、および種別などの所定の情報（以下、適宜「工事情報」と総称する）を、ユーザ操作を受けて登録する。
【００２７】
留意事項確認部１３２は、登録された工種および種別との組み合わせ（以下「工種種別」という）に対応する留意判断項目を表示し、ユーザにより選択された留意判断項目を登録する。
【００２８】
施工内容確認部１３３は、登録された工種種別、カテゴリ、および留意判断項目に対応する施工計画項目を表示し、ユーザにより選択された施工計画項目を登録する。
【００２９】
法令・基準書確認部１３４は、登録された工種種別、カテゴリ、留意判断項目、および施工計画項目に対応する法令情報および基準書情報の情報項目を表示し、ユーザにより情報項目が選択されたとき、選択された情報項目に対応する情報を表示する。
【００３０】
課題項目設定部１３５は、課題項目を表示し、ユーザにより選択された課題項目を登録する。
【００３１】
文章作成部１４０は、項目選択部１３０で登録された項目ごとに、ユーザによる文章入力を受け付け、入力された文章を施工計画書の記載文章として登録する。文章作成部１４０は、留意事項作成部１４１、施工計画作成部１４２、設定理由作成部１４３、および文章作成補助部１４４を有する。
【００３２】
留意事項作成部１４１は、登録された留意判断項目ごとに、ユーザによる文章入力を受け付け、ユーザにより入力された留意事項の文章を登録する。
【００３３】
施工計画作成部１４２は、登録された施工計画項目ごとに、登録された課題項目に対応付けて、ユーザにより入力された施工計画の内容（以下、単に「施工計画」という）の文章を登録する。
【００３４】
設定理由作成部１４３は、登録された課題項目に対応付けて、ユーザにより入力された課題設定理由の文章を登録する。
【００３５】
文章作成補助部１４４は、施工計画作成部１４２で施工計画の文章入力を受け付ける際に、施工計画に関する質問情報を表示して、ユーザの文章作成を補助する。また、文章作成補助部１４４は、設定理由作成部１４３で設定理由の文章入力を受け付ける際に、設定理由に関する質問情報を表示して、ユーザの文章作成を補助する。
【００３６】
書式データ格納部１５０は、施工計画書の書式データ（以下単に「書式データ」という）を格納する。書式データは、項目選択部１３０で登録された項目と、文章作成部１４０で登録された文章と、添付資料入力部１６０で登録された添付資料とを用いて、どのように施工計画書を構成するかを規定するデータである。
【００３７】
添付資料入力部１６０は、現場写真や調査結果の画像データ等、施工計画書に添付または挿入される資料（以下「添付資料」と総称する）の入力を受け付け、入力された添付資料を登録する。
【００３８】
計画書作成部１７０は、書式データ格納部１５０に格納された書式データに基づき、項目選択部１３０で登録された項目と、文章作成部１４０で登録された文章と、添付資料入力部１６０で登録された添付資料とを用いて、施工計画書のデータを作成する。
【００３９】
情報出力部１８０は、計画書作成部１７０で作成された施工計画書のデータを、データ出力またはプリンタ出力する。
【００４０】
履歴情報格納部１９０は、計画書作成部１７０で作成された施工計画書のデータを、その施工計画書のデータの作成に用いられた工事コード、留意判断項目、施工計画項目、および課題項目に対応付けて、履歴情報として格納する。
【００４１】
ここで、土木工事施工計画書作成支援システム１００が取り扱う各種情報および項目リンク情報の概要について説明する。
【００４２】
図２は、土木工事施工計画書作成支援システム１００が取り扱う各種情報および項目リンク情報の概要を示す図である。図２において、各矢印の方向は、項目リンク情報が規定する提示項目および提示情報の絞り込み、または入力文章の対応付けが行われる方向である。
【００４３】
図２に示すように、例えば、留意判断項目は、工種種別およびカテゴリにリンクしている。これは、留意判断項目格納部１１４に格納された留意判断項目のうち、登録された工種種別に対応する留意判断項目や付加的に選択されたカテゴリに対応する留意判断項目以外は、原則として、施工計画書への記載が不要であるということを示す。また、施工計画項目は、工種種別、カテゴリ、および留意判断項目にリンクしている。これは、施工計画項目格納部１１５に格納された施工計画項目のうち、登録された工種種別および留意判断項目の組み合わせに対応する施工計画項目や付加的に選択されたカテゴリに対応する施工計画項目以外の施工計画項目は、原則として、施工計画書への記載が不要であるということを示す。
【００４４】
工種種別、留意判断項目、およびカテゴリを考慮しない場合、施工計画書に記載すべきと判断される可能性のある施工計画項目の数は膨大である。このような膨大な数の施工計画項目を選択肢として提示しても、ユーザがその中から必要なものを選択するのには、時間と手間が掛かる。そこで、本実施の形態に係る土木工事施工計画書作成支援システム１００は、項目リンク情報に従ってユーザに提示する項目や情報を必要なものにのみ絞り込むことにより、ユーザが施工計画書を作成するのに要する時間と手間を軽減する。
【００４５】
例えば、上記した施工計画項目の場合、工種種別、留意判断項目、およびカテゴリに基づいて絞り込まれ、また、留意判断項目は既に工種種別およびカテゴリに基づいて絞り込まれたものであることから、そのユーザに提示される数は大幅に低減されることになる。
【００４６】
また、例えば、設定理由は、課題項目にリンクしており、課題項目ごとに対応付けて設定理由の登録が行われる。
【００４７】
また、例えば、履歴情報は、工事コード、留意判断項目、施工計画項目、および課題項目にリンクしており、工事コード、留意判断項目、施工計画項目、および課題項目の１つまたは複数の組み合わせに基づいて、対応するもののみがユーザに提示される。
【００４８】
項目リンク情報は、具体的には、各種項目ごとに用意された項目別マスタと、各マスタを対応付けた管理マスタとにより構成される。
【００４９】
図３および図４は、項目リンク情報の構成の一例を示す図である。項目リンク情報を構成する情報は、主に、項目別マスタと、管理マスタに分かれる。
【００５０】
図３に示すように、項目リンク情報は、項目別マスタとして、工種マスタ２０１、種別マスタ２０２、留意判断項目マスタ２０３、施工計画マスタ２０４、法令マスタ２０５、基準書マスタ２０６、カテゴリマスタ２０７、および課題マスタ２０８を含む。
【００５１】
また、図４に示すように、項目リンク情報は、管理マスタとして、工種種別マスタ２１１、項目管理マスタ２１２、留意判断項目情報２１３、施工計画情報２１４、および工事支援情報２１５を含む。
【００５２】
工種種別マスタ２１１は、工種マスタ２０１にリスト化された工種と、種別マスタにリスト化された種別との対応付けを規定する。
【００５３】
項目管理マスタ２１２は、工種種別マスタ２１０にリスト化された工種種別と、施工計画マスタにリスト化された施工計画項目、法令マスタ２０５にリスト化された法令情報と、基準書マスタ２０６にリスト化された基準書情報との対応付けを規定する。
【００５４】
留意判断項目情報２１３は、カテゴリマスタ２０７にリスト化されたカテゴリと、留意判断項目マスタ２０３にリスト化された留意判断項目との対応付けを規定する。
【００５５】
施工計画情報２１４は、カテゴリマスタ２０７にリスト化されたカテゴリと、施工計画マスタ２０４にリスト化された施工計画項目との対応付けを規定する。
【００５６】
工事支援情報２１５は、履歴情報格納部１９０に格納された施工計画書の工事コードと、施工計画マスタ２０４にリスト化された施工計画項目と、課題マスタ２０８にリスト化された課題項目との対応付けを規定する。
【００５７】
図１の項目選択部１３０および文章作成部１４０は、このような構成の項目リンク情報を参照することにより、提示する項目および情報の絞り込みや、情報の対応付けを行う。
【００５８】
このような構成の土木工事施工計画書作成支援システム１００によれば、ユーザは、登録した項目に対応して表示される項目の中から選択して登録する作業を繰り返すことにより、内容に過不足の無い施工計画書を簡単に作成することができる。
【００５９】
また、例えば、土木工事においては、複数の工種に同一または類似する種別が存在しており、個別に施工が行われるものの、留意事項や課題、施工計画を共通とする場合が多い。例えば、コンクリート打設は、複数の工種において実施される。このような場合に、本実施の形態の土木工事施工計画書作成支援システム１００によれば、異なる工種での共通部分をまとめて扱うことができ、重複した作業を低減することができるだけでなく、記載内容の重複を低減することができる。
【００６０】
以下、上述のように構成された土木工事施工計画書作成支援システム１００の動作について説明する。
【００６１】
ユーザは、土木工事施工計画書作成支援システム１００が表示する各種画面によるナビゲーションを受けて、工事の設計書、特記仕様書、および数量表などの各種設計図書を参照しながら、選択・入力操作を行うことにより、施工計画書の作成を行う。
【００６２】
まず、土木工事施工計画書作成支援システム１００の動作の概要について説明する。
【００６３】
図５は、土木工事施工計画書作成支援システム１００の動作の概要を示す図である。
【００６４】
土木工事施工計画書作成支援システム１００は、画面の表示内容と画面遷移とにより、ユーザの業務のナビゲーションを行う。具体的には、土木工事施工計画書作成支援システム１００は、図５に示すように、ユーザに対し、作業フロー確認画面で作業フローの確認をさせ（Ｓ１０００）、次いで、工事情報の設定（Ｓ２０００）、留意事項の確認（Ｓ３０００）、施工内容の確認（Ｓ４０００）、法令および基準書の確認（Ｓ５０００）、施工計画の作成（Ｓ６０００）、および課題の設定理由の作成（Ｓ７０００）を支援する。
【００６５】
具体的には、ステップＳ１０００において、図１の項目選択部１３０は、作業フロー確認画面を表示して、作業を行うステップの選択を受け付ける。
【００６６】
そして、ステップＳ２０００において、図１の工事情報設定部１３１は、後述する案件登録画面において工種種別の選択を受け付け、選択された工種種別を登録する。
【００６７】
そして、ステップＳ３０００において、図１の留意事項確認部１３２は、後述する留意判断項目ページにおいて留意判断項目の選択を受け付け、選択された留意判断項目を登録する。このとき、留意事項確認部１３２は、項目リンク情報に基づいて、ステップＳ２０００で登録された工種種別に対応するものを選択肢として表示する。
【００６８】
そして、ステップＳ４０００において、図１の課題項目設定部１３５は、後述する課題設定ページにおいて、課題項目の選択を受け付ける。また、図１の施工内容確認部１３３は、施工計画項目の選択を受け付けて登録する。このとき、施工内容確認部１３３は、項目リンク情報に基づいて、ステップＳ２０００で登録された工種種別およびステップＳ３０００で登録された留意判断項目に対応するものを選択肢として表示する。
【００６９】
そして、ステップＳ５０００において、図１の法令・基準書確認部１３４は、後述する法令・基準書一覧ページにおいて、ステップＳ２０００で登録された工種種別およびステップＳ４０００で登録された施工計画項目に対応する法令情報および基準書情報の一覧を表示する。
【００７０】
そして、ステップＳ６０００において、図１の施工計画作成部１４２は、後述する施工計画詳細画面および簡易な施工計画詳細画面において、施工計画の文章入力を受け付け、入力された文章を、ステップＳ４０００で登録された課題項目に対応付けて登録する。このとき、このとき、図１の文章作成補助部１４４は、適宜、後述する文章作成補助画面において、サンプル文を作成し、ユーザの文章作成を補助する。
【００７１】
そして、ステップＳ７０００において、図１の設定理由作成部１４３は、簡易な施工計画詳細画面において、課題の設定理由の文章入力を受け付け、入力された文章を、ステップＳ４０００で登録された課題項目に対応付けて登録する。
【００７２】
このように、土木工事施工計画書作成支援システム１００は、ユーザの作業をナビゲーションし、施工計画書の作成に必要な情報を順次登録する。
【００７３】
次に、ユーザ操作に従って遷移する表示画面の様子を示しながら、新規に施工計画書の作成が開始されたときの土木工事施工計画書作成支援システム１００の動作の一例について説明する。
【００７４】
図６は、案件登録画面を示す図である。図６に示す案件登録画面３０１は、工事コード、工事名、工事場所、工事概要、発注者等を含む工事情報の登録を受け付ける。特に、案件登録画面３０１は、工種種別登録欄４１１において工事種別を表示してユーザ選択を受け付け、登録ボタン４１２のクリックにより、選択された工事種別を登録する。
【００７５】
このように、案件登録画面３０１では、工事コードと工事種別とを含む各種工事情報の登録が行われる。
【００７６】
図７は、案件詳細画面の法令・基準書一覧ページを示す図である。案件詳細画面は、複数のページをタブの選択により切り替えて表示することができる画面であり、例えば、図３の登録ボタン４１２がクリックされたときに表示される。
【００７７】
図７に示す法令・基準書一覧ページ３０２は、登録法令・基準書表示欄４２１において、登録された工種種別に対応する法令情報および基準書情報の名称を表示対象として一覧表示する。法令・基準書一覧ページ３０２は、削除ボタン４２２のクリックにより、該当する情報を一覧から削除し、情報の名称のクリックにより、該当する情報の詳細を表示する。なお、削除ボタンの機能は、以降説明する各画面および各ページで同様となっている。
【００７８】
また、法令・基準書一覧ページ３０２は、基準書検索ボタン４２５のクリックにより、表示されていない情報を一覧に追加するための基準書検索画面を表示する。
【００７９】
図８は、基準書検索画面を示す図である。図８に示す基準書検索画面３０３は、カテゴリ選択欄４３１においてカテゴリの一覧を表示してユーザ選択を受け付け、選択されたカテゴリに対応する基準書情報の名称を、基準書表示欄４３２に表示候補として一覧表示する。また、基準書検索画面３０３は、別ページにおいて、入力キーワードによる基準書情報報検索を行い、検索された情報を、参照候補に追加する。そして、基準書検索画面３０３は、一覧表示した基準書情報の名称に対するユーザ選択を受け付け、追加ボタン４３３のクリックにより、選択された基準書情報を表示対象に追加し、図７の法令・基準書一覧ページ３０２に戻る。同様に、図７の法令検索ボタン４２４のクリックにより、法令情報の表示対象への追加が可能となっている。
【００８０】
このように、法令・基準書一覧ページ３０２では、表示対象となる法令情報および基準書情報がリスト化される。ユーザは、法令・基準書一覧ページ３０２における情報の名称のクリックにより、必要に応じて参照すべき法令情報または基準書情報を簡単に参照することができる。
【００８１】
図９は、案件情報画面の留意判断項目ページを示す図である。図９に示す留意判断項目ページ３０４は、留意判断項目一覧４４１において、登録された工種種別に対応する留意判断項目を、登録候補として一覧表示する。留意判断項目ページ３０４は、要不要チェックボックス４４２に対するユーザのチェックを受け付け、変更ボタン４４３のクリックにより、チェックの入った留意判断項目を登録する。
【００８２】
また、留意判断項目ページ３０４は、変更ボタン４４３のクリックにより、要不要チェックボックス４４２にチェックの入った留意判断項目（つまり登録されている項目）が上位に配置されるように、留意判断項目一覧４４１をソートする。
【００８３】
また、留意判断項目ページ３０４は、工種種別選択ボタン４４４または工事条件選択ボタン４４５のクリックにより、表示されていない留意判断項目を一覧に追加するための留意判断項目検索画面を表示する。
【００８４】
図１０は、留意判断項目検索画面を示す図である。図１０に示す留意判断項目検索画面３０５は、工種種別選択欄４５１において工種種別を一覧表示してユーザ選択を受け付け、選択された工事種別に対応する留意判断項目を、留意判断項目表示欄４５２に一覧表示する。または、カテゴリ選択欄４５３においてカテゴリを一覧表示してユーザ選択を受け付け、選択されたカテゴリに対応する留意判断項目を、留意判断項目表示欄４５２に一覧表示する。また、留意判断項目検索画面３０５は、別ページにおいて、入力キーワードによる留意判断項目検索を行い、検索された情報を、一覧に追加する。そして、留意判断項目検索画面３０５は、一覧表示した留意判断項目に対するユーザ選択を受け付け、追加ボタン４５４のクリックにより、選択された留意判断項目を登録候補に追加し、図９の留意判断項目ページ３０４に戻る。
【００８５】
また、図９に示す留意判断項目ページ３０４は、留意判断項目のクリックにより、対応する留意事項ヒントを表示して留意事項の文章を入力するための留意判断項目詳細画面を表示する。
【００８６】
図１１は、留意判断項目詳細画面を示す図である。図１１に示す留意判断項目詳細画面３０６は、他工事選択欄４６１において、同一の留意判断項目が登録された過去の工事の一覧を表示してユーザ選択を受け付け、選択された工事で登録された留意事項の文章を、履歴情報欄４６２に表示する。また、留意判断項目詳細画面３０６は、留意判断項目に対応して予め用意された留意事項ヒントを、ヒント欄４６３に表示する。そして、留意判断項目詳細画面３０６は、留意事項入力欄４６４において留意事項の文章のユーザ入力を受け付け、登録ボタン４６５のクリックにより、入力された留意事項を対応する留意判断項目に対応付けて登録する。
【００８７】
図９に示す留意判断項目ページ３０４は、ファイル出力ボタン４４７のクリックにより、要不要チェックボックス４４２にチェックの入っている留意判断項目および留意事項をファイル出力する。
【００８８】
このように、留意判断項目ページ３０４では、過去の同一の留意判断項目が登録された工事の情報やヒントを参照しながら、留意判断項目および留意事項を登録することができる。登録された留意判断項目および留意事項は、適宜プリントアウトすることができ、現地調査においても参照することができる。
【００８９】
図１２は、案件詳細画面の資料添付ページを示す図である。図１２に示す資料添付ページ３０７は、追加ボタン４７１のクリックにより、指定された場所から追加資料を取得して所定の格納領域に格納し、その追加資料のファイル名を格納ファイル一覧４７２に追加する。格納ファイル一覧４７２に追加された資料は、添付資料として登録される。
【００９０】
このように、資料添付ページ３０７では、添付資料の登録が行われる。
【００９１】
図１３は、案件詳細画面の課題設定ページを示す図である。図１３の課題設定ページ３０８は、課題項目選択欄４８１において、課題項目の一覧をプルダウン表示してユーザ選択を受け付ける。また、課題設定ページ３０８は、施工計画一覧４８２において、登録された工種種別、カテゴリ、および留意判断項目に対応する施工計画項目を、登録候補として一覧表示する。課題設定ページ３０８は、施工計画一覧４８２で施工計画項目を一覧表示し、施工計画項目のクリックにより、該当する施工計画項目についての施工計画の文章入力および課題項目との対応付けを行うための施工計画詳細画面を表示する。
【００９２】
図１４は、施工計画詳細画面を示す図である。図１４に示す施工計画詳細画面３０９は、課題項目選択欄４９１において課題項目のユーザ選択を受け付ける。また、施工計画詳細画面３０９は、他工事選択欄４９２において、同一の施工計画項目が登録された過去の工事を一覧表示してユーザ選択を受け付け、選択された工事で登録された施工計画の文章を、履歴情報欄４９３に表示する。また、施工計画詳細画面３０９は、施工計画項目に対応して予め用意された施工計画のポイントを、ポイント欄４９４に表示する。そして、施工計画詳細画面３０９は、施工計画入力欄４９５（初期状態では空欄）において施工計画の文章のユーザ入力を受け付ける。すなわち、施工計画詳細画面３０９は、過去の施工計画の登録内容と、施工計画の文章入力欄とを、一画面に同時表示する。
【００９３】
また、施工計画詳細画面３０９は、文章作成ボタン４９６のクリックにより、文章作成を補助するための文章作成補助画面をポップアップ表示する。
【００９４】
図１５は、施工計画詳細画面３０９が表示する文章作成補助画面を示す図である。図１５の文章作成補助画面３１０は、作成文章選択欄５０１で、文章パターンの一覧をプルダウン表示してユーザ選択を受け付ける。そして、文章作成補助画面３１０は、選択された文章パターンに対応する質問情報を表示して入力欄５０２への文字列入力を受け付け、文章作成ボタン５０３のクリックにより、入力された文字列を文章に組み立てて文章表示欄５０４に表示する。
【００９５】
図１６は、文章作成補助画面３１０が文章の組み立てに使用するテンプレートの一例を示す図である。テンプレート７１０は、文章パターンに対応付けて、質問内容と、入力された文字列に付加する接続文と、文字列を文章に登場させる順序とを規定している。
【００９６】
文章作成補助画面３１０は、テンプレート７１０に規定された順序に従って、質問内容とこれに対応する記入欄５０２を配置する。そして、文章作成補助画面３１０は、記入欄５０２に記入された文字列にテンプレート７１０に規定された対応する接続文を付加し、テンプレート７１０に規定された順序で配置して、文章を自動構成する。
【００９７】
図１５の文章作成補助画面３１０が閉じられると、文章作成補助画面３１０の文章表示欄５０４の文章が、図１４の施工計画詳細画面３０９の施工計画入力欄４９５に転記される。施工計画詳細画面３０９は、自動生成された施工計画入力欄４９５の文章であっても、その文章に対するユーザ編集を受け付けるとともに、構文チェックボタン４９７のクリックにより、その文章に対する構文チェックを行う。そして、文章作成補助画面３１０は、登録ボタン４９８のクリックにより、入力・編集された施工計画を、選択された課題項目に対応付けて登録する。なお、構文チェックボタンの機能は、以降説明する各画面および各ページで同様となっている。
【００９８】
このように、施工計画詳細画面３０９では、適宜、ユーザの入力文字列をテンプレートに当て嵌めて文章を自動生成することができるので、文章作成を簡単に行うことができる。また、過去の類似する工事の情報やポイントを参照しながら施工計画を作成することができるので、必要な記載事項の漏れを防ぐことができる。また、テンプレートを使用した場合には、画一的な文章となる可能性が高くなるが、過去に作成された施工計画と比較することができるので、同一の文章とならないように文章を修正することができる。
【００９９】
また、図１３の課題設定ページ３０８は、種種別選択ボタン４８４または工事条件選択ボタン４８５のクリックにより、表示されていない施工計画項目を施工計画一覧４８２に追加するための、施工計画検索画面を表示する。
【０１００】
図１７は、施工計画検索画面を示す図である。図１７に示す施工計画検索画面３１２は、工種種別選択欄５２１において工種種別を一覧表示してユーザ選択を受け付け、選択された工種種別に対応する施工計画項目を、施工計画表示欄５２２に登録候補として一覧表示する。または、施工計画検索画面３１２は、カテゴリ選択欄５２３においてカテゴリを一覧表示してユーザ選択を受け付け、選択されたカテゴリに対応する施工計画項目を、施工計画表示欄５２３に登録候補として一覧表示する。また、施工計画検索画面３１２は、施工計画項目のクリックにより、別画面において、同一の施工計画項目が登録された過去の工事の一覧を表示し、更に一覧から選択された工事において登録された施工計画を表示する。そして、施工計画検索画面３１２は、一覧表示した施工計画項目に対するユーザ選択を受け付け、追加ボタン５２４のクリックにより、選択された施工計画項目を登録候補に追加し、図１３の課題設定ページ３０８に戻る。
【０１０１】
なお、課題項目としては、例えば、課題についての発注者からの指定の有無、各工種の設計数量、設計金額および主要構造物との関係、自然条件、社会条件、契約図書の内容、現地調査により把握される工事箇所の状況などから、最も適切なものがユーザによって選択される。
【０１０２】
また、施工計画は、ユーザが、選択しようとしている工法が現場状況にマッチしているかなど、設計照査により問題を提起し、課題から考えられる対策を抽出および絞り込むことにより、作成される。このとき、施工計画詳細画面３０９の履歴情報欄４９３に表示される他工事の施工計画が良いヒントとなる。
【０１０３】
図１８は、案件情報画面の簡易な施工計画ページを示す図である。図１８に示す簡易な施工計画ページ３１３は、課題項目一覧５３１において、登録された課題項目を一覧表示し、課題項目のクリックにより、該当する課題項目についての文章作成を行うための簡易な施工計画詳細画面を表示する。
【０１０４】
図１９は、簡易な施工計画詳細画面を示す図である。図１９の簡易な施工計画詳細画面３１４は、施工計画入力欄５４１（初期状態では空欄）において施工計画の文章のユーザ入力を受け付け、設定理由入力欄５４２（初期状態では空欄）において設定理由の文章のユーザ入力を受け付ける。また、簡易な施工計画詳細画面３１４は、施工計画取得ボタン５４３のクリックにより、課題項目に対応付けて登録した施工計画を取得し、施工計画入力欄５４１に転記する。
【０１０５】
更に、簡易な施工計画詳細画面３１４は、文章作成ボタン５４４、５４５のクリックにより、施工計画入力欄５４１および設定理由入力欄５４２における文章作成を補助するための文章作成補助画面を表示する。
【０１０６】
図２０は、簡易な施工計画詳細画面３１４が表示する設定理由入力欄５４２の文章作成補助画面を示す図である。図２０の文章作成補助画面３１５は、図１５の文章作成補助画面３１０とほぼ同様の構成となっているが、更に、表現選択欄５５１において、文章表現の一覧をプルダウン表示してユーザ選択を受け付ける。そして、文章作成補助画面３１５は、文章作成ボタン５５２のクリックにより、図１５の文章作成補助画面３１０と同様に、選択された文章表現および入力された文字列を、テンプレートを用いて文章に組み立てて文章表示欄５５３に表示する。文章表示欄５５３の文章は、図１９の簡易な施工計画詳細画面３１４の簡易な設定理由入力欄５４２に転記される。
【０１０７】
図１９の簡易な施工計画詳細画面３１４は、登録ボタン５４６のクリックにより、入力された設定理由および施工計画を対応する課題項目に対応付けて登録する。
【０１０８】
なお、課題の設定理由は、ユーザが、問題解決のための最新技術の利用など、課題抽出からの工夫点を選定することにより、作成される。
【０１０９】
図２１は、案件詳細画面の施工計画書作成ページを示す図である。図２１の施工計画書作成ページ３１６は、課題表示欄５６１において、登録された課題項目を一覧表示してユーザ選択を受け付ける。そして、設定理由の出力を指定する設定理由出力チェックボックス５６３、および出力ファイル形式を指定するファイル形式チェックボックス５６４に対するユーザのチェックを受け付ける。また、施工計画書作成ページ３１６は、追加ボタン５６５のクリックにより、指定された追加資料のファイル名を取得して、そのファイル名を出力ファイル一覧５６６に追加する。そして、施工計画書作成ページ３１６は、データ出力ボタン５６７のクリックにより、指定された課題項目に対応付けて登録された施工計画（および設定理由）に基づいて施工計画書を作成し、作成した施工計画書を、指定された出力ファイル形式でデータ出力する。
【０１１０】
図２２は、上記手順により最終的に作成される施工計画書の一例を示す図である。図２２に示すように、施工計画書８００には、まず、出力を指定された課題項目８１０が配置され、続いて、課題項目８１０に対応付けて登録された設定理由８２０と、課題項目８１０に対応付けて登録された施工計画項目８３０および施工計画項目８３０に対応する施工計画８４０が配置される。
【０１１１】
一旦作成された施工計画書の内容は、後から任意に修正可能となっている。例えば、提案内容の実効性、費用、人員等を審査し、適宜修正することにより、高品質かつ実情に即した内容の施工計画書を作成することができる。
【０１１２】
以上説明したように、本実施の形態によれば、土木工事施工計画書作成支援システム１００は、土木工事の工種種別を表示して登録し、登録された工種種別に対応する留意判断項目を表示して登録し、登録された工種種別および留意判断項目に対応する施工計画項目を表示して登録する。そして、土木工事施工計画書作成支援システム１００は、課題項目を表示して登録し、登録された課題項目に対応付けて、課題項目の設定理由および登録された施工計画項目の施工計画に関する文章入力を受け付けて登録し、登録された課題項目と、この課題項目に対応付けられた設定理由および施工計画に基づいて、施工計画書を作成する。これにより、ユーザは、登録した項目に対応して表示される項目の中から選択して登録する作業を繰り返すことにより施工計画書を作成することができるので、少ない労力で施工計画書を作成することができる。また、工種種別を基点として対応する項目を選択肢として順次表示し、登録内容に基づいて施工計画書を作成するので、内容に過不足の無い高品質な施工計画書を作成することができる。
【０１１３】
また、本実施の形態によれば、土木工事施工計画書作成支援システム１００は、作成された施工計画書を、留意判断項目、施工計画項目、および課題項目の少なくとも１つに対応付けて記憶する。これにより、過去に作成された施工計画書を、留意判断項目、施工計画項目、および課題項目のうち対応付けが行われた項目で検索することができ、過去に作成された施工計画書の中から、文章作成の際に参考にすべき施工計画書を検索して表示することができる。すなわち、過去に作成された情報のうち類似した情報を簡単に抽出し、参考情報として表示することや、再利用することが可能となる。
【０１１４】
また、本実施の形態の土木工事施工計画書作成支援システム１００は、ユーザが指定したタイミングで、作成中の文章と同一の種類の文章を、検索した施工計画書から抽出して表示する。これにより、ユーザは、文章作成の際に参考にすべき文章を参考にしながら、より簡単に、かつ適切な文章を入力することができる。
【０１１５】
なお、本実施の形態では、過去の施工計画書の内容のうち、留意事項および施工計画についてのみ入力欄と同時表示させるようにしたが、課題の設定理由についても入力欄と同時表示させるようにしてもよい。
【産業上の利用可能性】
【０１１６】
本発明に係る土木工事施工計画書作成支援システム、土木工事施工計画書作成支援方法、および土木工事施工計画書作成支援プログラムは、少ない労力で高品質な施工計画書を作成することができる土木工事施工計画書作成支援システム、土木工事施工計画書作成支援方法、および土木工事施工計画書作成支援プログラムとして有用である。
【図面の簡単な説明】
【０１１７】
【図１】本発明の一実施の形態に係る土木工事施工計画書作成支援システムの構成を示すシステム構成図
【図２】本実施の形態に係る土木工事施工計画書作成支援システムが取り扱う各種情報および項目リンク情報の概要を示す図
【図３】本実施の形態における項目リンク情報の構成のうち項目別マスタに関する部分の構成の一例を示す図
【図４】本実施の形態における項目リンク情報の構成のうち管理マスタに関する部分の構成の一例を示す図
【図５】本実施の形態に係る土木工事施工計画書作成支援システムの動作の概要を示す図
【図６】本実施の形態における案件登録画面を示す図
【図７】本実施の形態における法令・基準書一覧ページを示す図
【図８】本実施の形態における基準書検索画面を示す図
【図９】本実施の形態における留意判断項目ページを示す図
【図１０】本実施の形態における留意判断項目検索画面を示す図
【図１１】本実施の形態における留意判断項目詳細画面を示す図
【図１２】本実施の形態における資料添付ページを示す図
【図１３】本実施の形態における課題設定ページを示す図
【図１４】本実施の形態における施工計画詳細画面を示す図
【図１５】本実施の形態における施工計画詳細画面が表示する文章作成補助画面を示す図
【図１６】本実施の形態における文章の組み立てに使用されるテンプレートの一例を示す図
【図１７】本実施の形態における施工計画検索画面を示す図
【図１８】本実施の形態における簡易な施工計画ページを示す図
【図１９】本実施の形態における簡易な施工計画詳細画面を示す図
【図２０】本実施の形態における簡易な施工計画詳細画面が表示する文章作成補助画面を示す図
【図２１】本実施の形態における施工計画書作成ページを示す図
【図２２】本実施の形態において最終的に作成される施工計画書の一例を示す図
【符号の説明】
【０１１８】
１００  土木工事施工計画書作成支援システム
１１０  情報登録用データ格納部
１１１  項目リンク情報格納部
１１２  工種種別格納部
１１３  カテゴリ格納部
１１４  留意判断項目格納部
１１５  施工計画項目格納部
１１６  法令・基準情報格納部
１１７  留意事項ヒント格納部
１１８  課題項目格納部
１１９  質問情報格納部
１３０  項目選択部
１３１  工事情報設定部
１３２  留意事項確認部
１３３  施工内容確認部
１３４  法令・基準書確認部
１３５  課題項目設定部
１４０  文章作成部
１４１  留意事項作成部
１４２  施工計画作成部
１４３  設定理由作成部
１４４  文章作成補助部
１５０  書式データ格納部
１６０  添付資料入力部
１７０  計画書作成部
１８０  情報出力部
１９０  履歴情報格納部
【図１】
0005243812.tif 000002
【図２】
0005243812.tif 000003
【図３】
0005243812.tif 000004
【図４】
0005243812.tif 000005
【図５】
0005243812.tif 000006
【図６】
0005243812.tif 000007
【図７】
0005243812.tif 000008
【図８】
0005243812.tif 000009
【図９】
0005243812.tif 000010
【図１０】
0005243812.tif 000011
【図１１】
0005243812.tif 000012
【図１２】
0005243812.tif 000013
【図１３】
0005243812.tif 000014
【図１４】
0005243812.tif 000015
【図１５】
0005243812.tif 000016
【図１６】
0005243812.tif 000017
【図１７】
0005243812.tif 000018
【図１８】
0005243812.tif 000019
【図１９】
0005243812.tif 000020
【図２０】
0005243812.tif 000021
【図２１】
0005243812.tif 000022
【図２２】
0005243812.tif 000023